(57)【特許請求の範囲】
【請求項１】
中央操作室に設けた表示手段および記憶手段を有する保守ツールと、前記保守ツールとネットワークを介して接続されたプラント機器を制御する複数の制御装置からなり、前記各制御装置を構成するＣＰＵ、入出力処理装置およびリモート入出力装置の構成ユニットを通信回線を介して複数の設置場所に分散配置すると共に、前記ユニットを形成する複数のカードを筐体内に収納し、前記表示手段に前記ユニットおよび前記カードの稼動状態を表示する制御装置の状態表示方法であって、
前記記憶手段に前記ユニットの設置場所特定データおよび前記カード情報データを記憶し、
前記表示手段に前記ユニット毎の実装状態および前記ユニット内の前記カードの実装状態のイメージ図を表示し、
前記カードの一つを指定し、かつ、当該ユニットに接続する他のユニットの状態表示を要求したとき、前記他のユニットの実装状態および当該ユニット内のカードの実装状態のイメージ図を表示すると共に、
この際、当該ユニットの設置場所および当該カードを収納する筐体内の実装位置を表示することを特徴とする制御装置の状態表示方法。
【請求項２】
中央操作室に設けた表示手段および記憶手段を有する保守ツールと、前記保守ツールとネットワークを介して接続されたプラント機器を制御する複数の制御装置からなり、前記各制御装置を構成するＣＰＵ、入出力処理装置およびリモート入出力装置の構成ユニットを通信回線を介して複数の設置場所に分散配置すると共に、前記ユニットを形成する複数のカードを筐体内に収納し、前記表示手段に前記ユニットおよび前記カードの稼動状態を表示する制御装置の状態表示装置であって、
前記記憶手段に前記ユニットの設置場所特定データおよび前記カード情報データを記憶し、
前記表示手段に前記ユニット毎の実装状態および前記ユニット内の前記カードの実装状態のイメージ図を表示し、
前記カードの一つを指定し、かつ、当該ユニットに接続する他のユニットの状態表示を要求したとき、前記他のユニットの実装状態および当該ユニット内のカードの実装状態のイメージ図を表示すると共に、
この際、当該ユニットの設置場所および当該カードを収納する筐体内の実装位置を表示することを特徴とする制御装置の状態表示装置。
【発明の詳細な説明】
【０００１】
【発明の属する技術分野】
本発明は、制御装置の状態表示方法および装置に係り、特に、制御装置を構成するＣＰＵ、入出力処理装置およびリモート入出力装置をプラント機器近傍や制御機器室などに分散設置したときの制御状態を表示する技術に関する。
【０００２】
【従来の技術】
従来の制御装置の状態表示装置は、下記のように制御装置の各構成機器の状態を個別に表示する機能を有するものであった。
その１．制御装置の構成機器毎にその状態をプリント上または画面上にリストとして表示する。
その２．異常が発生している制御装置の構成機器毎の状態をプリント上または画面上にリストとして表示する。
その３．制御装置の機器の構成を表示し、機器毎に正常、異常の状態を画面上に色替え表示する。
その４．制御装置の機器の収納状態を画面上に表示し、これに機器の状態を重ね表示する。
【０００３】
【発明が解決しようとする問題点】
上記従来技術１では、制御装置の構成機器が多数であると、リスト表示が膨大になり、必要情報の把握までに時間と手間を要し、状態を確認するのが困難である、という問題点を有する。
また、従来技術２では、従来技術１の問題は解決されるが、状態を把握した後に制御装置の構成機器を保守する際に、当該機器が何処にあり、どのように収納されているのかが分かりにくい、という問題点を有する。
従来技術３では、機器の状態は分かるが、機器の発生した異常要因を特定することができない、という問題点を有する。
従来技術４では、視覚的に機器の存在と状態を提供し、これらの問題点を解決する。しかし、従来技術４では、制御装置がリモート入出力装置や分散演算装置などによって構成され、この構成装置がプラント機器の近傍や、監視・制御室や保守事務室などに分散設置された場合、制御装置の異常がどの構成装置で発生し、何処の収納ラック等に収納されているのかが把握できず、保守に手間と時間を要する、という問題点を有する。
また、一般に、制御装置の構成機器をプラント機器の近傍などに設置する場合は、収納ラック等の関係から複数の制御装置の構成機器を同一の収納ラックなどに収納する場合が多く、個々の構成機器の状態を確認しても、構成機器の数が多く、設置場所が分散しているため、今度はその接続する制御装置や他の構成機器の収納場所とラックを把握することが困難である。
【０００４】
本発明の課題は、上記事情に鑑み、現場に分散設置された制御装置の構成機器の状態監視を実施するに際し、制御装置の構成機器の状態を表示すると共に、その構成機器の設置場所および収納箇所を表示することを可能とすることにある。
【０００５】
【課題を解決するための手段】
上記課題を解決するために、中央操作室に設けた表示手段および記憶手段を有する保守ツールと、保守ツールとネットワークを介して接続されたプラント機器を制御する複数の制御装置からなり、各制御装置を構成するＣＰＵ、入出力処理装置およびリモート入出力装置の構成ユニットを通信回線を介して複数の設置場所に分散配置すると共に、構成ユニットを形成する複数のカードを筐体内に収納し、表示手段に構成ユニットおよびカードの稼動状態を表示する制御装置の状態表示方法または装置であって、記憶手段に構成ユニットの設置場所特定データおよびカード情報データを記憶し、表示手段に構成ユニット毎の実装状態および構成ユニット内のカードの実装状態のイメージ図を表示し、カードの一つを指定し、かつ、当該ユニットに接続する他のユニットの状態表示を要求したとき、他のユニットの実装状態および当該ユニット内のカードの実装状態のイメージ図を表示すると共に、この際、当該ユニットの設置場所および当該カードを収納する筐体内の実装位置を表示する。
【０００６】
【発明の実施の形態】
以下、本発明の実施形態を図面を用いて説明する。
図１は、本発明の一実施形態による制御装置の状態表示方法を実施するシステム構成を示す。
プラントを制御するシステムにおいて、制御装置を構成する構成機器はコントローラ（ＣＰＵ）、入出力処理装置ＰＩ／Ｏ、リモート入出力装置ＲＩ／Ｏからなり、これらの構成機器は、中央操作室、制御機器室Ａ，Ｂ，Ｃ、ボイラ、タンクヤード、貯炭場に分散して設置される。
中央制御室には、制御装置の保守を行う保守ツール１、プラントの監視を行う計算機２が設置され、制御ネットワーク１４を介して制御機器室Ａに設置のコントローラＡ（ＣＰＵユニットＡ）３、コントローラＢ（ＣＰＵユニットＢ）４、制御機器室Ｂに設置のコントローラＣ（ＣＰＵユニットＣ）５と接続される。
制御機器室Ａに設置のプラントの制御を行うコントローラＡ３は、制御機器室Ｃに設置の入出力処理装置ＰＩ／ＯユニットＡ６と接続し、入出力処理装置ＰＩ／ＯユニットＡ６は入出力処理装置ＰＩ／ＯユニットＢ７及びタンクヤードに設置のリモート入出力装置ＲＩ／ＯユニットＡ９に接続し、また、リモート入出力装置ＲＩ／ＯユニットＡ９は制御機器室Ｃに設置の入出力処理装置ＰＩ／ＯユニットＣ８とボイラ室に設置のリモート入出力装置ＲＩ／ＯユニットＢ１０と接続する。また、コントローラＢ４はリモート入出力装置ＲＩ／ＯユニットＡ９と接続する。リモート入出力装置ＲＩ／ＯユニットＢ１０とボイラ室に設置のリモート入出力装置ＲＩ／ＯユニットＣ１１、リモート入出力装置ＲＩ／ＯユニットＣ１１と貯炭場に設置のリモート入出力装置ＲＩ／ＯユニットＤ１２を接続する。
上述のように分散して設置される制御装置からなるプラント制御システムにおいて、各制御装置の構成ユニットであるＣＰＵユニット（コントローラＡ）３、ＣＰＵユニット（コントローラＢ）４、ＣＰＵユニット（コントローラＣ）５、入出力処理装置ＰＩ／ＯユニットＡ６、ＰＩ／ユニットＯＢ７、ＰＩ／ＯユニットＣ８、リモート入出力装置ＲＩ／ＯユニットＡ９、ＲＩ／ＯユニットＢ１０、ＲＩ／ＯユニットＣ１１、ＲＩ／ＯユニットＤ１２は、筐体（盤）に分散して設置され、保守ツール１は、各制御装置を構成するこれらのＣＰＵユニット、入出力処理装置ＰＩ／Ｏユニット、リモート入出力装置ＲＩ／Ｏユニットの設置場所、状態、異常要因を表示する。
【０００７】
図２は、図１のシステムを構成する制御装置の構成例を示す。
保守ツール２５１は、制御ネットワーク２００を介してコントローラＡ、コントローラＢ、コントローラＣと接続される。各コントローラは、プラント２１０からの情報をボイラ室設置のＲＩ／ＯユニットＢ２２１内のリモートアナログ入力装置ＲＡＩ２２５，２２６、貯炭場設置のＲＩ／ＯユニットＤ２５３内のリモートデジタル入力装置ＲＤＩ２２９，２３０より取り込み、また、各コントローラは、プラント２１０に対してプラント機器近傍のタンクヤード設置のＲＩ／ＯユニットＡ２２０内のリモートアナログ出力装置ＲＡＯ２２３，２２４、ボイラ室設置のＲＩ／ＯユニットＣ２２１内のリモートデジタル出力装置ＲＤＯ２２７，２２８より情報を出力する。
制御機器室Ａに設置のコントローラＡは、ＣＰＵユニットＡ内Ｉ／Ｆカード２０６により制御機器室Ｃに設置のＰＩ／ＯユニットＡ内Ｉ／Ｆカード２０４と通信線２４０を介して接続され、ＰＩ／ＯユニットＡ内Ｉ／Ｆカード２０４はさらにＰＩ／ＯユニットＢ内Ｉ／Ｆカード２５２と通信線２４１を介して接続される。ＰＩ／ＯユニットＡ内に実装されるカードＡＩ２３１、ＡＯ２３２、ＤＯ２３３、ＰＩ／Ｏ２０８はＩ／Ｆカード２０４を介してＣＰＵ２３７と情報通信を行う。
ＰＩ／ＯユニットＡ内ＰＩ／Ｏカード２０８は、プラント機器近傍のタンクヤード設置のＲＩ／ＯユニットＡ２２０、ボイラ室設置のＲＩ／ＯユニットＢ２２１、ＲＩ／ＯユニットＣ２２２、貯炭場設置のＲＩ／ＯユニットＤ２５３内リモート入出力カードＲＡＯ２２３、ＲＡＩ２２５、ＲＤＯ２２７、ＲＤＩ２２９と通信線２４２，２４３，２４４，２４５を介して各々接続され、情報通信を行う。
制御機器室Ａに設置のコントローラＢも、同様にＣＰＵユニット２３８内Ｉ／Ｆカード２０７とＰＩ／ＯユニットＣ内Ｉ／Ｆカード２０５と通信線２４６を介して接続され、ＰＩ／ＯユニットＣ内に実装されるカードＡＩ２３４、ＡＯ２３５、ＤＯ２３６、ＰＩ／Ｏ２０９はＩ／Ｆカード２０５を介してＣＰＵ２３８と情報通信を行う。ＰＩ／ＯユニットＣ内ＰＩ／Ｏカード２０９は、プラント機器近傍のタンクヤード設置のＲＩ／ＯユニットＡ２２０、ボイラ室設置のＲＩ／ＯユニットＢ２２１、ＲＩ／ＯユニットＣ２２２、貯炭場設置のＲＩ／ＯユニットＤ内２５３内のリモート入出力カードＲＡＯ２２４、ＲＡＩ２２６、ＲＤＯ２２８、ＲＤＩ２３０と通信線２４７，２４８，２４９，２５０を介して各々接続され、情報の通信を行う。
上述の分散して設置されるプラント制御システムにおいて、保守ツール２５１は、分散して筐体（盤）に設置される各制御装置の各構成ユニット内のカードの収納位置、状態、異常要因を表示する。ここで、各構成ユニット内の各カードは、筐体（盤）の設定された位置にそれぞれ収納される。
一方、ＰＩ／ＯユニットＡ内ＰＩ／Ｏカード２０８は、各ＲＩ／Ｏユニット２２０，２２１，２２２，２５３内のカードの状態情報を通信線２４３、２４４、２４５を介して受信し、メモリなどの記憶装置（図示せず）に記憶し、ＣＰＵ２３７に各ＲＩ／Ｏユニット２２０，２２１，２２２，２５３内のカードの状態情報を送信する。ＣＰＵ２３７は、Ｉ／Ｆカード２０６、通信線２４０、Ｉ／Ｆカード２０４を介し、ＰＩ／ＯユニットＡ内の各カード２０４，２３１，２３２，２３３，２０８から送信される各カードの状態情報を受信し、メモリなどの記憶装置に記憶する。
また、ＰＩ／ＯユニットＣ内ＰＩ／Ｏカード２０９も、同様に各ＲＩ／Ｏユニット２２０，２２１，２２２，２５３内のカードの状態情報を通信線２４７，２４３，２４４，２４５を介して受信し、メモリなどの記憶装置に記憶し、ＣＰＵ２３８に各ＲＩ／Ｏユニット２２４，２２６，２２８，２３０内のカードの状態情報を送信する。ＣＰＵ２３８は、Ｉ／Ｆカード２０７、通信線２４６、Ｉ／Ｆカード２０５を介し、ＰＩ／ＯユニットＣ内の各カード２０５，２３４，２３５，２３６，２０９から送信される各カードの状態情報を受信し、メモリなどの記憶装置に記憶する。
【０００８】
例えば、ボイラ室設置のＲＩ／ＯユニットＢ２２１内のＲＡＩ２２５で異常が発生した場合、コントローラＡは、入出力処理装置ＰＩ／Ｏ２０８よりＲＡＩ２２５の異常を通信線２４２，２４３を介して受信し、メモリなどの記憶装置に記憶し、ＲＡＩ２２５の異常情報をＣＰＵ２３７に送信する。ＣＰＵ２３７は、ＲＡＩ２２５の異常情報をＩ／Ｆカード２０６、通信線２４０、Ｉ／Ｆカード２０４を介して受信し、メモリなどの記憶装置に記憶する。
中央操作室設置の保守ツール２５１は、ユーザからの状態表示要求があると、制御ネットワーク２００を介してコントローラＡのＣＰＵ２３７から各場所に分散して設置される各ユニット内の各カードの状態情報を読み込み、各カードがどのキャビネット（筐体）のどのユニット内にあり、どこの設置場所にあり、どういう状態であるのかを表示する。異常のあるＲＡＩカード２２５は他の正常なカードとは色を変えて表示するなどの異なる表示を行う。
【０００９】
図３は、カード設置（収納）場所の登録画面例を示す。
カードの設置場所を特定するために予め下記のような画面でカードの設置場所を入力しておく。
ＣＰＵユニット設定画面５０１において、ＣＰＵユニットの入る盤の番号５０２とＣＰＵユニットが盤のどの位置にあるかを指定するユニット座標５０３を登録することにより、ＣＰＵがどの盤のどの位置に存在するかを設定する。
また、ＣＰＵユニット内のカードは、ＣＰＵユニットのスロット番号５０５に対して何のカードが入っているかを特定するためにカードの種別５０６、カード型式５０７を入力する。ＰＩ／Ｏユニットに接続するためのインタフェースカード５１１には接続するＰＩ／Ｏユニットの数５０９を設定する。
ＰＩ／ＯユニットがＣＰＵユニット内のどのカードから接続されるかを特定するためにインタフェースカードのスロット番号５０４をマウスなどの入力装置で指定する。指定によりＰＩ／Ｏユニットの設定画面５２０を表示させる。
ＰＩ／ＯユニットＡ設定画面５２０では、ＰＩ／Ｏユニットがどの盤のどの位置に存在するかを特定するためにＰＩ／Ｏユニットが入る盤の番号５２１、ユニット座標５２２を入力する。ＰＩ／Ｏユニットのスロット番号５２３に対してカードの種別５２４とカード型式５２５を設定することにより、ＰＩ／Ｏユニット内のスロットに何のカードが入っているかを特定する。
ＣＰＵユニットボタン５５０は、ＣＰＵユニット設定画面へ画面を移動するボタンである。次ページボタン５２９は、ＣＰＵユニットのインタフェースカード５１１に接続するＰＩ／Ｏユニットが複数ある場合に現在表示されているＰＩ／Ｏユニットに接続されるＰＩ／ＯユニットでＣＰＵユニットのインタフェースカードから遠い順番で接続するＰＩ／ＯユニットのＰＩ／Ｏユニット設定画面５２０を表示させるボタンである。前ページボタン５２８は、現在表示されているＰＩ／Ｏユニットに接続されるＰＩ／ＯユニットでＣＰＵユニットに近い順番で接続するＰＩ／ＯユニットのＰＩ／Ｏユニット設定画面５２０を表示させるボタンである。
スロット番号０のＰＩ／Ｏカード５２７に接続するＲＩ／Ｏユニットの情報を設定する画面ＲＩ／Ｏユニット設定画面５３１を表示するためにスロット番号５２６をマウスなどの入力装置で指定する。
ＰＩ／Ｏカードに接続するＲＩ／Ｏカードは、設置場所がカード毎に分散しているため、ＲＩ／Ｏユニット設定画面５３０ではＰＩ／Ｏ５２７に接続する順番に一貫番号５３３を振っておき、一貫番号５３３に対してＲＩ／Ｏカードの種別５３４、型式５３５を設定する。また、各ＲＩ／Ｏに対して盤番号５３７、ユニット座標５３８、スロット番号５３６を設定することによりＲＩ／Ｏカードの場所を特定することができる。ＰＩ／Ｏユニットボタン５３９は、ＲＩ／Ｏカードが接続されるＰＩ／Ｏユニット設定画面へ画面を移動するボタンである。
【００１０】
図４は、図３で設定したデータのデータベース例を示す。
場所特定データベース１４２９は、カードがどこに実装されているかを示すために、カードを所有するコントローラの名称、カードが実装される盤番号、盤内のユニット番号、ユニット内のスロット番号、カード型式をデータベース内に記憶する。また、カードがどのカードに接続するかを示すために、カードと接続する上位カードが実装される盤内のユニット番号、ユニット内のスロット番号を保守ツール２５１の記憶装置（図示せず）に記憶する。
例えば、カード型式ＲＡＯ１（１４１１）のカードは、設置場所１４１２の盤番号１４１３内のユニット座標１４１４内のスロット番号１４１５に実装される。また、上位カードの実装されるユニット番号１４１０、上位カードのスロット番号１４１６、上位カードに接続するユニットの順番を示すＲＩＯユニット番号１４１７を記憶することにより、カードがどの上位カードにどういう順番に接続するかを示すことができる。更に、型式ＲＡＯ１（１４１１）のカードが接続するＣＰＵユニット内のカードが実装されるユニットの番号１４１８、スロット番号１４１９を記憶することにより、ＣＰＵユニット内にある最上位の接続カードから型式ＲＡＯ１（１４１１）の接続順を示すことができる。
カード情報データベース１４３０は、カードの型式と種類を対応付けるために、カード種類とカード型式を情報として保守ツールの記憶装置に記憶する。場所特定データベース１４２９とカード情報データベース１４３０から情報を取り出し、保守ツール２５１はシステムの情報を画面に表示する。
【００１１】
図５は、システム状態表示の画面表示例を示す。
画面内の表示は、制御装置の列盤表示部４０１、盤内のユニット実装を表示する盤内表示部４０２、ユニット内のカード実装を表示するユニット表示部４０３、エラーメッセージを表示するメッセージ表示部４０４からなる。
列盤表示部４０１内には、制御装置が盤毎に表示され、盤面数が多く表示部内に入りきらない場合はスクロールバー４０５によって列盤表示部４０１内をスクロールさせ、全ての制御装置の盤を表示する。また、列盤が属する装置名称４２０と、列盤の設置場所４２１を表示する。
列盤表示部４０１内の盤４１０をマウスにてクリックすることにより、盤内表示部４０２内にその盤内のユニット実装を表示する。また、列盤表示部４０１において盤内表示部４０２で表示される盤がどの盤であるかを示すために盤内表示４０２内で表示される盤４１０を色替え表示する。列盤表示部４０１において盤内に異常などの状態変化が発生した際、状態変化がある盤が分かるように該当する盤４１３、４１４を色替え表示する。その際の色は盤内表示を示す色とは異なる色とする。
盤内表示４０２は、盤内のユニット実装を表し、表示されている盤の設置場所４２２、盤の番号４２３を表示する。
盤内表示４０２において盤をマウスでクリックすることにより、表示されるユニット実装部、例えばコントローラＡの実装ユニットであるユニット４１５をマウスでクリックすることにより、コントローラＡユニット４１５内のカードの実装状態をユニット表示部４０３に表示する。また、その際どのユニットがユニット表示部４０３に表示されたか分かるように、該ユニット４１５を色替え表示する。また、ユニットに異常などの状態変化がある場合、状態変化の発生したユニットが分かるようにユニットを色替え表示する。その際の色はユニット表示を示す色とは異なる色とする。
ユニット表示部４０３はＣＰＵユニットを例としている。ユニット表示部４０３は、ユニット内に実装されるカードの実装を表し、ユニットが実装される盤の設置場所４２５、盤番号４２６、ユニット座標４２７を表示する。ユニット表示４０３において表示されるユニット内に実装されるカード４１７をマウスでクリックすると、カード（ＩＦ）４１７に接続されているカードの収納ユニット（ＲＩ／Ｏ）４１６を表示する。
また、ユニット表示４０３において表示されるユニット内に実装されるカード４１７に接続するカードが別ユニットにある場合、該カード４１７をマウスでクリックし、ＰＩＯユニットボタン４１９を押すことにより、該カードが接続するカードが実装されるユニット内のカードの実装状態をユニット表示部４０３に表示する。
また、カード４１７に接続するカードを実装するユニットが別の盤例えば盤４１２にある場合において盤４１２のユニット表示をしているときは、該カードの実装状態を表示する際実装される盤４１２に矢印４１８を表示し、どの盤のユニットを表示しているかが分かるようにする。また、その際、矢印で示される盤が属する装置の名称、設置場所に合わせて設置場所４２０、装置名称４２１の表示を更新する。
【００１２】
図６は、ＣＰＵユニットの画面例を示す。
ＣＰＵユニット画面では、指定したユニット内に実装されるカードの情報をデータベースから取出し、表示する。データベースからの情報により、該当ユニットが設置される場所１６０６、盤番号１６０７、ユニット座標１６０８、該当ユニットの各スロットに実装されるカード１６００，１６０１，１６０２，１６０３，１６０４のカード名称、型式を表示する。
カードＡＩ１６０２に異常発生などカードの状態が変化した場合、スロットを色替して表示し、状態変化が発生したカードの実装場所、カードの種類を分かりやすくする。
カードＩ／Ｆ１６０１は、下位にＰＩＯユニットを接続し、情報を送受信しているカードである。カードＩ／Ｆ１６０１をマウスでクリックし、ＰＩＯユニットボタン１６０５をマウスでクリックすることにより、カードＩ／Ｆ１６０１に最初に接続するＰＩＯユニットを表示する。
【００１３】
図７は、ＰＩＯユニットの画面例を示す。
ＰＩＯユニット画面は、盤内表示で指定する、ＣＰＵユニット画面で指定する、あるいは、前後に接続するＰＩＯユニット画面より指定することにより、表示される。
ＰＩＯユニット画面では、ＰＩＯユニット内に実装されるカードの情報をデータベースから取出し、表示する。データベースからの情報により、該当ユニットが設置される場所１７１０、盤番号１７１１、ユニット座標１７１２、該当ユニットの各スロットに実装されるカード１７００，１７０１，１７０２，１７０３，１７０４，１７０５のカード名称、型式を表示する。
カードＤＯ１７０２に異常などの状態変が生じた場合、スロットを色替して表示し、状態変化が発生したカードの実装場所、カードの種類を分かり易くする。カードＰＩＯ１７０３は、下位にＲＩＯユニットを接続し、情報を送受信しているカードである。カードＰＩＯ１７０３をマウスでクリックし、ＲＩＯユニットボタン１７１３をマウスでクリックすることにより、データベースより情報を取出し、カードＰＩＯ１７０２に最初に接続するＲＩＯユニットを表示する。
ＣＰＵユニットボタン１７１４は、マウスでクリックすることにより、データベースから情報を取出し、表示中のＰＩＯユニットが接続するＣＰＵユニット画面を表示する。
前ページボタン１７１５は、マウスでクリックすることにより、データベースから情報を取出し、表示中のＰＩＯユニットが接続する１つ前のＰＩＯユニット画面を表示する。
次ページボタン１７１６は、マウスでクリックすることによりデータベースから情報を取出し、表示中のＰＩＯユニットが接続する１つ後のＰＩＯユニット画面を表示する。
【００１４】
図８は、ＲＩＯユニットの画面例を示す。
ＲＩＯユニット画面は、盤内表示で指定する、ＰＩＯユニット画面で指定する、あるいは、前後に接続するＲＩＯユニット画面より指定することにより表示される。
ＲＩＯユニット画面では、ＲＩＯユニット内に実装されるカードの情報をデータベースから取出し、表示する。データベースからの情報により、該当ユニットが設置される場所１８１０、盤番号１８１１、ユニット座標１８１２、該当ユニットの各スロットに実装されるカード１８００，１８０１，１８０２，１８０３，１８０４のカード名称、型式を表示する。
カードＲＡＯ１８０３に異常発生などカードの状態が変化した場合、スロットを色替して表示し、状態変化が発生したカードの実装場所、カードの種類を分かり易くする。
ＲＩＯユニット内のカード１８００，１８０１，１８０２，１８０３，１８０４は、ＰＩＯユニット内のカードと接続するかまたはＲＩＯユニット内のカードと接続する。
表示中のあるカードの接続先を表示するとき、例えばカードＲＡＩ１８０２の接続先を表示するときはカードＲＡＩ１８０２をマウスでクリックし、次ページボタン１８０７ボタンをマウスでクリックすることにより、データベースより情報を取出し、カードＲＡＩ１８０２の１つ後に接続するＲＩＯユニットを表示する。また、カードＲＡＩ１８０２をマウスでクリックし、前ページボタン１８０６ボタンをマウスでクリックすることにより、データベースより情報を取出し、カードＲＡＩ１８０２の１つ前に接続するＲＩＯユニットを表示する。さらに、カードＲＡＩ１８０２をマウスでクリックし、ＰＩＯユニットボタン１８０５ボタンをマウスでクリックすることにより、データベースより情報を取出し、カードＲＡＩ１８０２の接続するＰＩＯユニットを表示する。
【００１５】
図９は、本発明のシステム状態の検出方法を示す。
図９において、制御装置３０１は、制御機器室Ａに設置されるＣＰＵユニットＡ３０２、制御機器室Ｃに設置されるＰＩ／ＯユニットＡ３０３、タンクヤードに設置されるＲＩ／ＯユニットＢ３０４より構成され、また、ＣＰＵユニットＡ３０２にはＣＰＵ３０５、Ｉ／ＦＡカード３０６が設置され、ＰＩ／ＯユニットＡ３０３にはＩ／ＦＢカード３０７、ＰＩ／Ｏカード３０８が設置され、ＲＩ／ＯユニットＡ３０４にはＲＡＯカード３０９が設置されるとしてシステム状態の検出方法を説明する。
ＣＰＵユニットＡ３０２内のＩ／ＦＡカード３０６は、ＰＩ／ＯユニットＡ３０３内のＩ／ＦＢカード３０７と通信を行っている。また、ＰＩ／ＯユニットＡ３０３内のＰＩ／Ｏカード３０８は、ＲＩ／ＯユニットＡ３０４内のＲＡＯカード３０９と通信を行っている。
ＰＩ／ＯユニットＡ３０３内のＰＩ／Ｏカード３０８は、ＲＡＯカード３０９の状態をメモリ３１４内に記憶する。ＰＩ／ＯユニットＡ３０３内のＩ／ＦＢカード３０７は、ＰＩ／Ｏカード３０８のメモリ３１４からＲＡＯカード３０９の状態を読み取り、ＲＡＯの状態をメモリ３１３に記憶する。また、ＰＩ／Ｏ３０８の状態をメモリ３１３に記憶する。ＩＦ／Ｂカード３０７は、メモリ３１３に記憶されているＲＡＯカード３０９の状態とＰＩ／Ｏカード３０８の状態をＣＰＵユニット３０２内のＩ／ＦＡカード３０６に送信する。ＣＰＵユニット３０２内のＩ／ＦＡカード３０６は、受信したＲＡＯカード３０９の状態とＰＩ／Ｏカード３０８の状態をメモリ３１２に記憶する。また、Ｉ／ＦＡカード３０６は、Ｉ／ＦＢカード３０７の状態をメモリ３１２に記憶する。ＣＰＵ３０５は、Ｉ／ＦＡカード３０６のメモリ３１２に記憶したＲＡＯカード３０９の状態、ＰＩ／Ｏカード３０８の状態、Ｉ／ＦＢカード３０７の状態をメモリ３１０に格納する。また、ＣＰＵ３０５は、Ｉ／ＦＡカード３０６の状態をメモリ３１１に記憶する。  保守ツール２５１は、ネットワークを介してＣＰＵ３０５内のメモリ３１１に記憶されているＲＡＯカード３０９の状態、ＰＩ／Ｏカード３０８の状態、Ｉ／ＦＢカード３０７の状態、Ｉ／ＦＡカード３０６の状態を読み込む。また、ＣＰＵ３０５の状態もネットワークを介して読み込み、制御装置３０１の状態を記憶装置３２１に記憶し、表示を行う。
【００１６】
【発明の効果】
以上説明したように、本発明によれば、状態表示装置に分散設置される制御装置の各構成ユニット、各構成ユニットに収納されるカードの設置場所、収納位置を表示可能とするので、操作員は構成ユニット、カードの設置場所、収納位置を視認しながら、構成ユニット、カードの状態を確認することができ、引いては補修必要機器の収納箇所が認識し易く、制御装置の保守性を向上することができると共に、保守上のヒューマンエラーの防止を図ることができる。
また、制御装置内の構成ユニット、カード毎の状態を表示した表示上で、この構成ユニット、カードを指定することにより、当該構成ユニット、カードに接続する他の構成ユニット、カードの状態表示を要求できるようにし、このとき、この構成ユニット、カード構成機器の設置場所、収納位置を表示装置上に判別できるように表示するようにしたので、操作員にとって制御システムの状態確認作業の作業性を向上することができる。
【図面の簡単な説明】
【図１】本発明の一実施形態による制御装置の状態表示方法を実施するシステム構成図
【図２】本発明の制御装置の詳細構成図
【図３】本発明のカード設置場所登録画面の例
【図４】本発明のカード情報のデータベースの例
【図５】本発明のシステム状態表示画面の例
【図６】本発明のシステム状態表示で表示するＣＰＵユニットの画面例
【図７】本発明のシステム状態表示で表示するＰＩＯユニットの画面例
【図８】本発明のシステム状態表示で表示するＲＩＯユニットの画面例
【図９】本発明のシステム状態の検出方法の説明図
【符号の説明】
１，２５１…保守ツール、２…計算機、３，４，５…コントローラＡ，Ｂ，Ｃ（ＣＰＵユニットＡ，Ｂ，Ｃ）、６，７，８…入出力処理装置（ＰＩ／ＯユニットＡ，Ｂ，Ｃ）、９，１０，１１，１２…リモート入出力装置（ＲＩ／ＯユニットＡ，Ｂ，Ｃ，Ｄ）、１４，２００…制御ネットワーク、２１０…プラント、２４０，２４１，２４２，２４３，２４４，２４５，２４６，２４７，２４８，２４９，２５０…通信線、Ｉ／Ｆ，ＡＯ，ＤＯ，ＰＩ／Ｏ，ＲＡＯ，ＲＡＩ，ＲＤＯ，ＲＤＩ…カード
【図１】
0003899452.tif 000002
【図２】
0003899452.tif 000003
【図３】
0003899452.tif 000004
【図４】
0003899452.tif 000005
【図５】
0003899452.tif 000006
【図６】
0003899452.tif 000007
【図７】
0003899452.tif 000008
【図８】
0003899452.tif 000009
【図９】
0003899452.tif 000010